(57)【要約】      （修正有）【課題】ライフスタイルの変化に合わせて多様な使い方が可能な可動薄型仏壇を提供する。【解決手段】前面に開口を有する筐体を備えた壁掛け可能な薄型仏壇本体２と、仏壇本体を縦板と横板台からなるＬ字型板盤４に脱着可能に取り付けることができる支持台とからなる可動式薄型仏壇１であって、本尊を配置している仏壇本体は、室内平坦箇所に立設されている支持台の縦板に掛け式に取り付けられる。【選択図】図１
0003229261.tif 000002
【実用新案登録請求の範囲】
【請求項１】
前面に開口を有する筐体を備えた壁掛け可能な薄型仏壇本体と、前記仏壇本体を縦板と横板台からなるＬ字型板盤に脱着可能に取り付けることができる支持台とからなる可動式薄型仏壇であって、本尊を配置している前記仏壇本体は、室内平坦箇所に立設されている支持台の縦板に掛け式に取り付けられていることを特徴とする可動薄型仏壇。
【請求項２】
前面に両扉付き開口を有する筐体内に仏壇台を備えた仏壇本体と、前記仏壇本体が直接的に脱着可能にＬ字型板盤の支持台に取り付けられ、筐体内に収納部を有し、Ｌ字型板盤の縦板の上部面に接合具を固定して、仏壇本体の筐体の裏面を接合具に掛けて固着させている前記仏壇本体は、前記Ｌ字型板盤の縦板からなる支持台の上部にある接合具に掛けられた状態で、又前記支持台から簡単に取り外して薄型仏壇として可動的状態で使用できることを特徴とする請求項１に記載の可動薄型仏壇。
【請求項３】
前面に開口を有する筐体を備えた仏壇本体は、前記仏壇本体の接続具からの脱着可能に取り付けられ、仏壇本体の内部に仏壇の本尊立設する本尊台を設置して、縦３００〜５００ｍｍ、横３００〜５００ｍｍ、奥行き１００〜４００ｍｍの収納部を有し、内部に木質材で製作されており、Ｌ字型板盤からなる支持台は、縦横４００〜６００ｍｍの平板を持つ縦板と、横４００〜６００ｍｍ、奥行き２００〜５００ｍｍの平板を持つ横板台とからなるＬ字型板盤であり、仏壇本体の前板の二段畳み観音扉は無垢材の木材にて掘り込みをもたらせた装飾性の左右対称の掘り込み模様の観音扉を枢着し、筐体内には折り畳みできるフラップ板を置いて、フラップ板部に併せてベース板部、天板部、背板部を形成する収容空間の背板部付近に本尊、仏具立設できる空間を確保していることを特徴とする請求項１、又は請求項２に記載の可動薄型仏壇。
【請求項４】
前記Ｌ字型板盤からなる支持台は、前記仏壇本体を着脱可能な接合具に取り付けられが、Ｌ字型板盤の縦板は、厚さ１５〜３０ｍｍ、縦４００〜６００ｍｍ、横２００〜６００ｍｍ平板を、横板台は、厚さ２５〜４０ｍｍ、横４００〜６００ｍｍ、奥行き２００〜５００ｍｍの平板で構成され、縦板の上部から５０〜１００ｍｍの位置の２箇所に接合部を取り付け、横板台の先端には直径２０〜５０ｍｍの曲面の無垢板面材を取り付けて、仏壇本体を安定に配置できるようにしていることを特徴とする請求項１〜請求項３のいずれかに記載の可動薄型仏壇。
【考案の詳細な説明】
【技術分野】
【０００１】  本考案は仏壇本体が直接的に脱着可能に取り付けられ、平坦面に設置されるＬ字型板盤の支持台を備えた可動薄型仏壇に関する。
【背景技術】
【０００２】  現在、仏壇として様々な商品が販売されている。たとえば、須弥壇が設けられた仏壇本尊の他に、仏具を収納する引出しや、経机などが設けられた台が一体的に設けられた、比較的大型の台付き仏壇や、壁に掛けて使用される、比較的コンパクトな壁掛式仏壇などが知られている。【０００３】  仏壇を設置する場所に、充分なスペースがある場合には、仏壇に多くの仏具やお花を置いてお祀りしたいという理由から、比較的大型の台付き仏壇を選択したいという需要がある。一方、近年では、将来子供に仏壇を引き継ぐときなどに、次世代に負担をかけたくないという理由から、予めコンパクトな仏壇が選択されることが多くなっている。また、転居や施設に入る場合など、住居が変わる場面を想定して、壁掛式仏壇など、コンパクトな仏壇が選択されることもある。【０００４】従来から日本住宅には．仏間に仏壇．タンス置き場が有りタンスの傍に三面鏡．居間にテレビが置いてある．現在の建物はアパート．マンション．老人ホームが建てられていて仏壇．三面鏡のスペースがない建て物が多い。その中で仏壇．三面鏡．テレビの三機種を一体化して．各別々の機能と特色を出して．リモコン操作で使用出来特別に．設置場所を設けなくても壁掛けにして身近に置いて使用できる便利である仏壇の提案がある（特許文献１参照）。【０００５】ライフスタイルの変化に合わせて多様な使い方が可能な仏壇セットの提供を目的として、前面に開口を有する筐体を備えた仏壇本体と、支持台とを備え、仏壇本体は、支持台に取り付けられた取付状態と、支持台から取り外され、壁掛式仏壇として用いられる壁掛状態とすることが可能であり、仏壇本体は、取付状態において、支持台の上部側に仏具を含む物品が載置可能となるスペースが形成されるように、仏壇本体の前後方向の幅が、支持台の前後方向の幅よりも小さいものが提案されている（特許文献２参照）。【０００６】居住性に制約が生じない形態で簡易に設置でき、かつ、居住空間の美観を損なわないデザインの差し替え式仏壇兼神棚を提供するにおいて、装具と、神札が、底板に形成されたスリットに差し込まれている仏壇兼神棚であって、装具と、神札を、平面的な薄い形状に形成することで容積や重量を小さくし、居住性に制約が生じない形態として簡易に設置できるようにした。また、装具と、神札を、加工が容易な素材によって形成したことで、自由な発想でデザインできる装置の提案がある（特許文献３参照）。【０００７】仏壇の格段のコンパクト化を達成すると共に、複数枚の遺影を一まとめに収納することが可能である上、格段に軽量化して高い携帯性を確保できるようにしてなる新たな仏壇の小型化技術を提供するために、仏壇本体の天板部前方左右角下に左右一対の観音扉を枢着し、ベース板部、天板部、背板部および閉鎖状態左右観音扉が形成する収容空間の背板部寄りに額縁装着用空間を確保し、該額縁装着用空間と閉鎖状態左右観音扉との間の収容空間に左右の献花筒を立設し、同収容空間の側部に額縁用の装着口を開口し、該装着口を通じて当該額縁装着用空間内に、複数枚の遺影などの写真類を前後に重ねた状態に収納、前後入れ替え自在とするようにした額縁体を着脱自在に装着してなる小型仏壇である（特許文献��参照）。【０００８】省スペース化することができ、限られた幅しかないスペースに載置された場合でも使い勝手が良く、また、開いた扉が邪魔にならない仏壇を提供するために、前面が開口した箱形状を有する仏壇であって、該前面の一側にその一端が回動自在に固定され、該前面の開口を開閉する少なくとも１枚の扉と、前記扉を前記仏壇の側面に当接するまで回動させるように支持する軸蝶番とを備えてなる仏壇が提案されている（特許文献５参照）。【０００９】故人の様々な思い出を手軽に再現できる供養壇の提供のために、供養壇は、観音開きの扉を前面の開口部に備えた筐体と、筐体の内部に収納される液晶ディスプレイである画像表示装置と、画像表示装置の下方に配設され引出し状に収納可能な台板と、メモリーカードのデータを読み書き可能なメモリカードアダプタと、メモリーカードから読み出された動画や静止画のデータに基いて画像表示装置に映像を表示する制御基板とを具備し、リモコンによる使用者の操作に応じて故人の映像を画像表示装置の表示部に表示し、スピーカによって音声を再生できる仏壇の提案がある（特許文献６参照）。【００１０】壁掛け仏壇は多く提案されているが、木製であって、簡潔な装飾を持つ仏壇は少ない、仏壇以外に別の用途に使用もできものは存在していない。
【先行技術文献】
【特許文献】
【００１１】
【特許文献１】特開２０１６−１８７５４０号公報
【特許文献２】実用新案登録第３２０３１６４号公報
【特許文献３】実用新案登録第３１９７９７８号公報
【特許文献４】特開２０１２−８１２０５号公報
【特許文献５】実用新案登録第３１６００３６号公報
【特許文献６】実用新案登録第３１５３７９９号公報
【考案の概要】
【考案が解決しようとする課題】
【００１２】  そこで、本考案はかかる問題点に鑑みて、ライフスタイルの変化に合わせて多様な使い方が可能な、壁掛けから立設できる仏壇の提供を目的とする。仏様式装飾観音二段折扉を開いただけで仏壇の雰囲気を醸し出し、宗派の高僧や本尊、位牌などの仏具要素の交換自在化、及び壁面の取付けや支持具の折り畳み収納の簡易化を達成する簡易構造から成る簡易薄型仏壇を提供しようとするものである。【００１３】上記従来の問題に鑑みてなされたものであり、仏壇を着脱自在に固定できるように構成することにより、設置場所と用途を広げて、仏壇以外に神棚、位牌置き、装飾具置きなどに使用できる棚具に活用できる装置として省スペース化して、可動できることができ、種々の場所に設置できて、また多用途に活用できる可動薄型仏壇を提供することを目的とする。
【課題を解決するための手段】
【００１４】前面に開口を有する筐体を備えた壁掛け可能な薄型仏壇本体と、前記仏壇本体を縦板と横板台からなるＬ字型板盤に脱着可能に取り付けることができる支持台とからなる可動式薄型仏壇であって、本尊を配置している前記仏壇本体は、室内平坦箇所に立設されている支持台の縦板に壁掛け式に取り付けられている可動薄型仏壇である。【００１５】前面に両扉付き開口を有する筐体内に本尊台を備えた仏壇本体と、前記仏壇本体が直接的に脱着可能にＬ字型板盤の支持台に取り付けられ、筐体内に収納部を有し、Ｌ字型板盤の縦板の上部面に接合具を固定して、仏壇本体の筐体の裏面を接合具に掛けて固着させている前記仏壇本体は、前記Ｌ字型板盤の縦板からなる支持台の上部にある接合具に掛けられた状態で、又前記支持台から簡単に取り外して薄型仏壇として可動的状態で使用できる。特に好ましくは壁掛けに使用することである。【００１６】前面に開口を有する筐体を備えた仏壇本体は、前記仏壇本体の壁面取付具からの脱着可能に取り付けられ、仏壇本体の内部に仏壇の本尊立設する本尊台を設置して、縦３００〜５００ｍｍ、横３００〜５００ｍｍ、奥行き１００〜４００ｍｍの収納部を有し、内部に木質材で製作されており、Ｌ字型板盤からなる支持台は、横４００〜６００ｍｍ、奥行き２００〜５００ｍｍの平板を持つ縦板と横板とからなるＬ字型板盤であり、仏壇本体の前板の二段畳み観音扉は無垢材の木材にて掘り込みをもたらせた装飾性の左右対称の掘り込み模様の観音扉を枢着し、筐体内には折り畳みできるフラップ板を置いて、フラップ板部に併せてベース板部、天板部、背板部を形成する収容空間の背板部付近に本尊、仏具立設できる空間を確保している。【００１７】前記Ｌ字型板盤からなる支持台は、前記仏壇本体を着脱可能な接合具に取り付けられが、Ｌ字型板盤の縦板は、厚さ１５〜３０ｍｍ、縦４００〜６００ｍｍ、横２００〜６００ｍｍ平板を、横板台は、厚さ２５〜４０ｍｍ、横４００〜６００ｍｍ、奥行き２００〜５００ｍｍの平板で構成され、縦板の上部から５０〜１００ｍｍの位置の２箇所に接合部を取り付け、横板台の先端には厚み２０〜５０ｍｍの加工した無垢板面材を取り付けて、仏壇本体を安定に配置できるようにしている。
【考案の効果】
【００１８】  本考案の可動薄型仏壇によれば、ライフスタイルの変化に合わせて壁掛けから、立設できる広い箇所と多様な使い方が可能となる。仏壇本体によれば、分割向板に表現された各種仏具要素が案内配置されるから、仏壇の本尊を立設して、倒れて落下することなくコンパクトに安定して納められ、故人の命日に応じて位牌や遺影を差し換えなども自在であるから、壁掛け式、設置式を持つ簡易取り付け構造でありながら、先祖や故人に対してきめ細かな表現で供養できる効果がある。【００１９】仏壇を着脱自在に固定できるように構成することにより、用途を広げて、仏壇以外に神棚、位牌置き、装飾具置きなどに使用できる棚具に活用できる装置として省スペース化することができ、家屋の種々の場所と多用途に活用できる薄型仏壇が提供できる。
【図面の簡単な説明】
【００２０】
【図１】本考案の一実施形態の可動薄型仏壇を示す斜視図である。
【図２】仏壇本体の前扉を開いた状態を示す正面図である。
【図３】Ｌ字型板盤の支持台の斜視図である。
【図４】仏壇本体の前板の二段折り両開き観音扉と折り畳みフラップ板を下して仏具を使用できる状態の斜視図である。
【図５】可動薄型仏壇から仏壇本体を分離して薄型仏壇と裏側の壁面取付具の状態を示す図である。Ａ：仏壇本体  Ｂ：仏壇本体の裏側
【図６】仏壇本体を分離して可動薄型仏壇の使用状態を示す図である。Ａ：通常の設置  Ｂ：支持台使用の設置  Ｃ：屋内壁面に掛けている状態
【考案を実施するための形態】
【００２１】  以下、添付図面を参照し、本考案の仏壇セットを詳細に説明する。
図１〜図６に示されるように、本考案の第１実施形態の仏壇セットは、前面に開口を有する筐体を備えた仏壇本体と、仏壇本体が直接的に脱着可能に取り付けられ、床面に設置される支持台とを備えている。なお、仏壇セットを構成する各部材は、基本的には木材により形成されているが、仏壇セットを構成する各部材の材料は特に限定されるものではない。
【実施例１】
【００２２】図１に示すように、前面に開口を有する筐体を備えた壁掛け可能な薄型仏壇本体と、前記仏壇本体を縦板と横板台からなるＬ字型板盤に脱着可能に取り付けることができる支持台とからなる可動式薄型仏壇であって、本尊を配置している前記仏壇本体は、室内平坦箇所に立設されている支持台の縦板に壁掛け式に取り付けられている可動薄型仏壇であった。【００２３】図２に示すように、前面に両扉付き開口を有する筐体内に仏壇台を備えた仏壇本体と、図３に示すような前記仏壇本体が直接的に脱着可能にＬ字型板盤の支持台に取り付けられ、筐体内に収納部を有し、Ｌ字型板盤の縦板の上部面に接合具を固定して、図５−Ｂに示すよう仏壇本体の筐体の裏面を接合具に掛けて固着させている前記仏壇本体は、前記Ｌ字型板盤の縦板からなる支持台の上部にある接合具に掛けられた状態で、又前記支持台から簡単に取り外して薄型仏壇として可動的状態で使用した。【００２４】図４に示すように、前面に開口を有する筐体を備えた仏壇本体は、前記仏壇本体の接続具からの脱着可能に取り付けられ、仏壇本体の内部に仏壇の本尊立設する本尊台を設置して、縦４００ｍｍ、横４００ｍｍ、奥行き２５０ｍｍの収納部を有し、内部にウォールナットの木質材で製作されており、Ｌ字型板盤からなる支持台は、縦５００ｍｍ、横５００ｍｍの縦板と、横５００ｍｍ、奥行き３００ｍｍの平板を持つ横板とからなる突板貼りのＭＤＦ材で製作されたＬ字型板盤であり、仏壇本体の前板の二段畳み観音扉はウォールナットの無垢材の木材にて掘り込みをもたらせた装飾性の左右対称の掘り込み模様の観音扉を枢着し、筐体内には折り畳みできる丁番付き縦３６０ｍｍ、横３６０ｍｍの長方体のフラップ板を置いて、フラップ板部に併せてベース板部、天板部、背板部を形成する収容空間の背板部付近に本尊、仏具立設できる空間を確保した。【００２５】前記Ｌ字型板盤からなる支持台は、前記仏壇本体を着脱可能な接合具に取り付けられるが、Ｌ字型板盤の縦板は、厚さ２５ｍｍ、縦５００ｍｍ、横５００ｍｍ平板を、横板台は、厚さ３０ｍｍ、横５００ｍｍ、奥行き３００ｍｍの平板で構成され、縦板の上部から５０ｍｍの位置の２箇所に接合部を取り付け、横板台の先端には厚み２０ｍｍの曲面加工を施した無垢板面材を取り付けて、仏壇本体を安定に配置できるようにした。
【実施例２】
【００２６】実施例１と同様に、前面に開口を有する筐体を備えた仏壇本体と、前記仏壇本体が直接的に脱着可能に取り付けられ、壁面に設置される支持体とを備えた取り付け仏壇であって、前記仏壇本体は、前記壁に取り付けたＬ字型支持体から取り外され、掛式になっている仏壇として用いられる壁掛状態になっている壁掛け仏壇である。【００２７】前面に両扉付き開口を有する筐体内に本尊台を備えた仏壇本体と、前記仏壇本体が直接的に脱着可能にＬ字型支持体から取り付けられ、収納部を有し、壁面に設置される支持具とを備えた仏壇で、前記仏壇本体は、前記支持体の上部にある接合具に掛けられた状態で、前記支持体から簡単に取り外される壁掛式仏壇として用いた。【００２８】前面に開口を有する筐体を備えた仏壇本体は、前記仏壇本体の接続具からの脱着可能に取り付けられ、仏壇本体の内部に仏像等を置く本尊を設置して、縦３００ｍｍ、横３００ｍｍ、奥行き２００ｍｍの収納部を有し、内部に無垢の木材で製作されており、壁面に設置される横４００ｍｍ、奥行き３００ｍｍの平板を持つＬ字型の支持体に支えられた仏壇で、仏壇本体の天板部前方左右角下に左右一対の観音扉を枢着し、ベース板部、天板部、背板部および閉鎖状態左右観音扉が形成した。【００２９】前記壁に取り付けたＬ字型支持体は、前記仏壇本体と前記支持体とを着脱可能な接合具に取り付けられが、Ｌ字型における壁掛け部には、縦４００ｍｍ、横４００ｍｍを、横板台には、横４００ｍｍ、奥行き３００ｍｍの平板で構成され、Ｌ字の掛け部の上部から５０ｍｍの位置に２箇所に接合部を取り付けて、横板台の先端には曲面を持つ装飾性の高い無垢板面材を取りつけて、仏壇本体を設置できるようにした。【００３０】壁掛け仏壇において、前記中間台の前記台座部が、前記仏壇の左右側となる前記基板の側部から立設する一対の側板と、前記一対の側板の上端を繋ぐ中間台天板とを備え、前記仏壇の前記取付状態において、前記中間台と前記仏壇本体とが、少なくとも前記中間台天板の下面に固定される支持具とが、少なくとも前記基板の上面に固定される接続部材により接続され、前記基板により囲まれた空間を、中間台の奥行方向に分離する中間台板状体が設けられ、前記板状体の背面側で接続部材が固定した。
【符号の説明】
【００３１】  １  可動薄型仏壇
２  仏壇本体
３  二段折両開き観音扉
４  Ｌ字型板盤（支持台）
５  縦板
６  横板台
７  接合具
８  壁面取付具
９  本尊台（棚）
１０  丁番
１１  折り畳みフラップ板
１２  掘り込み前板
１３  曲面を持つ装飾形状部
１４  仏像、本尊
１５  天板
１６  内側の空間
１７  ベース板
１８  背板
１９  整理箪笥
２０  室内壁面
【図１】
0003229261.tif 000003
【図２】
0003229261.tif 000004
【図３】
0003229261.tif 000005
【図４】
0003229261.tif 000006
【図５−Ａ】
0003229261.tif 000007
【図５−Ｂ】
0003229261.tif 000008
【図６−Ａ】
0003229261.tif 000009
【図６−Ｂ】
0003229261.tif 000010
【図６−Ｃ】
0003229261.tif 000011
【手続補正書】
【提出日】令和2年8月17日(2020.8.17)
【手続補正１】
【補正対象書類名】実用新案登録請求の範囲
【補正対象項目名】全文
【補正方法】変更
【補正の内容】
【実用新案登録請求の範囲】
【請求項１】
前面に開口を有する筐体を備えた壁掛け可能な薄型仏壇本体と、前記仏壇本体を縦板と横板台からなるＬ字型板盤に脱着可能に取り付けることができる支持台とからなる可動式薄型仏壇であって、本尊を配置している前記仏壇本体は、室内平坦箇所に立設されている支持台の縦板に掛け式に取り付けられていることを特徴とする可動薄型仏壇。
【請求項２】
前面に両扉付き開口を有する筐体内に仏壇台を備えた仏壇本体と、前記仏壇本体が直接的に脱着可能にＬ字型板盤の支持台に取り付けられ、筐体内に収納部を有し、Ｌ字型板盤の縦板の上部面に接合具を固定して、仏壇本体の筐体の裏面を接合具に掛けて固着させている前記仏壇本体は、前記Ｌ字型板盤の縦板からなる支持台の上部にある接合具に掛けられた状態で、又前記支持台から簡単に取り外して薄型仏壇として可動的状態で使用できることを特徴とする請求項１に記載の可動薄型仏壇。
【請求項３】
接合具によって脱着可能にしている仏壇本体は、前面に開口を有する筐体内部に仏壇の本尊立設する本尊台を設置でき、縦３００〜５００ｍｍ、横３００〜５００ｍｍ、奥行き１００〜４００ｍｍの収納部を木質材で製作されており、Ｌ字型板盤からなる支持台は、縦横４００〜６００ｍｍの平板を持つ縦板と、横４００〜６００ｍｍ、奥行き２００〜５００ｍｍの平板を持つ横板台とからなるＬ字型板盤であり、仏壇本体の前板の二段畳み観音扉は無垢材の木材にて掘り込みをもたらせた装飾性の左右対称の掘り込み模様の観音扉を枢着し、筐体内には折り畳みできるフラップ板を置いて、フラップ板部に併せてベース板部、天板部、背板部を形成する収容空間の背板部付近に本尊、仏具立設できる空間を確保していることを特徴とする請求項１、又は請求項２に記載の可動薄型仏壇。
【請求項４】
前記Ｌ字型板盤からなる支持台は、前記仏壇本体を着脱可能な接合具に取り付けられが、Ｌ字型板盤の縦板は、厚さ１５〜３０ｍｍ、縦４００〜６００ｍｍ、横４００〜６００ｍｍ平板を、横板台は、厚さ２５〜４０ｍｍ、横４００〜６００ｍｍ、奥行き２００〜５００ｍｍの平板で構成され、縦板の上部から５０〜１００ｍｍの位置の２箇所に接合部を取り付け、横板台の先端には直径２０〜５０ｍｍの曲面の無垢板面材を取り付けて、仏壇本体を安定に配置できるようにしていることを特徴とする請求項１〜請求項３のいずれかに記載の可動薄型仏壇。